(57)【要約】【課題】装置の大型化や複雑化を抑え、スクリュー軸と噛み合う噛合部の歯飛びを確実に回避することができる駆動装置、光学部材駆動装置、および撮影装置を提供することを目的とする。【解決手段】被案内部材と、被案内部材を所定の案内方向に移動させる案内ユニットとを備えた駆動装置において、上記案内ユニットが、外周に雄ねじが形成されて所定の案内方向に延びた回転自在なスクリュー軸、スクリュー軸に噛合する噛合部と、被案内部材に、案内方向に弾性的に接する接触部とを有する案内部材、および案内部材の接触部を被案内部材に向けて付勢する付勢部材を備えた。被案内部材に大きな衝撃が加わると、その衝撃が接触部によって吸収されてから噛合部に伝達されるため、装置の大型化や複雑化を抑えて、歯飛びを防止することができる【選択図】        図７
2008026633.tif 000002
【特許請求の範囲】
【請求項１】
被案内部材と、該被案内部材を所定の案内方向に移動させる案内ユニットとを備えた駆動装置において、
前記案内ユニットが、
外周に雄ねじが形成されて所定の案内方向に延びた回転自在なスクリュー軸、
前記スクリュー軸に噛合する噛合部と、前記被案内部材に、前記案内方向に弾性的に接する接触部とを有する案内部材、および
前記案内部材の接触部を前記被案内部材に向けて付勢する付勢部材を備えたことを特徴とする駆動装置。
【請求項２】
光学部材を保持する保持部材と、該保持部材を所定の案内方向に移動させる案内ユニットとを備えた光学部材駆動装置において、
前記案内ユニットが、
外周に雄ねじが形成されて所定の案内方向に延びた回転自在なスクリュー軸、
前記スクリュー軸に噛合する噛合部と、前記光学部材に、前記案内方向に弾性的に接する接触部とを有する案内部材、および
前記案内部材の接触部を前記光学部材に向けて付勢する付勢部材を備えたことを特徴とする光学部材駆動装置。
【請求項３】
撮影光学系を備え、該撮影光学系を通過してきた被写体光を捉えて画像データを生成する撮影装置において、
前記撮影光学系が、
光軸方向に駆動される光学部材と、
前記光学部材を保持する保持部材と、
前記保持部材を光軸方向に駆動させることにより前記光学部材を光軸方向に案内する案内ユニットとを備え、
前記案内ユニットが、
外周に雄ねじが形成されて所定の案内方向に延びた回転自在なスクリュー軸、
前記スクリュー軸に噛合する噛合部と、前記光学部材に、前記案内方向に弾性的に接する接触部とを有する案内部材、および
前記案内部材の接触部を前記光学部材に向けて付勢する付勢部材を備えたことを特徴とする撮影装置。
【発明の詳細な説明】
【技術分野】
【０００１】
本発明は、被移動体を所定方向に移動させる駆動装置、光学部材を移動させる光学部材駆動装置、および被写体を撮影する撮影装置に関する。
【背景技術】
【０００２】
デジタルカメラやデジタルビデオカメラには、自動的に被写体に焦点を合わせるオートフォーカス機能や、望遠撮影や広角撮影を実現するズーム機能が標準的に搭載されてきている。オートフォーカス機能やズーム機能は、撮影装置内でレンズを光軸方向等に移動させることによって実現されるものであり、レンズを移動させる駆動装置としては、外周に雄ねじが形成されたスクリュー軸をモータ等で回転させることにより、スクリュー軸の雄ねじに噛み合う噛合部に取り付けられた被移動体をスクリュー軸に沿って移動させる駆動装置が広く用いられている。レンズを保持するレンズ保持枠などを噛合部に取り付けておき、スクリュー軸が延びる方向をレンズの光軸方向に合わせて駆動装置を撮影装置内に配置することにより、スクリュー軸の回転に伴ってレンズ保持枠がスクリュー軸に沿って光軸方向に移動する。
【０００３】
ここで、特許文献１には、噛合部に切り欠きを設けることにより、噛合部とスクリュー軸とを、スクリュー軸の円周の半分以下で噛み合わせたレンズ駆動装置について記載されている。近年では、デジタルカメラやデジタルビデオカメラの小型化が急速に進んできたことに加えて、携帯電話機などにも小型の撮影装置が内蔵されてきているが、このような小型の撮影装置では、摩擦等の影響を強く受けるため、レンズ保持枠がスムーズに移動しにくいという問題がある。特許文献１に記載されたレンズ駆動装置によると、スクリュー軸と噛合部との間の摩擦が軽減されるため、携帯電話機用の小型の撮影装置に搭載する場合であっても、レンズをスムーズに駆動することができる。
【０００４】
しかし、スクリュー軸と噛合部とを噛み合わせてレンズ保持枠を移動させる駆動装置では、撮影装置の落下時などにレンズ保持枠に大きな衝撃が加わると、噛合部にレンズ枠の荷重が掛かってしまって、噛合部がスクリュー軸のねじ山から別のねじ山へと移動してしまう歯飛びが生じてしまう恐れがある。レンズが調整されたレンズ位置から移動してしまうと、撮影画像にピンボケが生じてしまったり、落下を検出するセンサが搭載された撮影装置では、レンズをスクリュー軸の端まで移動させてからレンズ位置を制御しなおすなどといった復旧動作が行われるため、その間は被写体を撮影することができず、シャッタチャンスを逃してしまうという問題がある。
【０００５】
この点に関し、特許文献２には、レンズ保持枠にスクリュー軸に沿った方向の力が印加された場合に、噛合部がスクリュー軸を把持する力を補強する把持力増加機構を備えたレンズ駆動装置について記載されている。この特許文献２に記載されたレンズ駆動装置によると、レンズ保持枠に大きな衝撃が加わると、把持力増加機構によって噛合部がスクリュー軸にきつく噛み合わされ、噛合部の歯飛びが防止される。
【特許文献１】特開平３−２８８１０８号公報
【特許文献２】特開２００４−７００１３号公報
【発明の開示】
【発明が解決しようとする課題】
【０００６】
しかし、特許文献２に記載された駆動装置では、噛合部の歯飛びを防止することはできるが、レンズを駆動するための駆動機構に加えて、把持力増加機構を備える必要があり、装置の大型化や複雑化を招いてしまうという問題がある。
【０００７】
尚、上述した問題は、レンズを移動させる駆動装置のみに限らず、スクリュー軸を使って、そのスクリュー軸に噛合する噛合部に取り付けられた被駆動体を所定の方向に移動させる駆動装置一般に当てはまるものである。
【０００８】
本発明は、上記事情に鑑み、装置の大型化や複雑化を抑え、スクリュー軸と噛み合う噛合部の歯飛びを防止することができる駆動装置、光学部材駆動装置、および撮影装置を提供することを目的とする。
【課題を解決するための手段】
【０００９】
上記目的を達成する本発明の駆動装置は、被案内部材と、被案内部材を所定の案内方向に移動させる案内ユニットとを備えた駆動装置において、
上記案内ユニットが、
外周に雄ねじが形成されて所定の案内方向に延びた回転自在なスクリュー軸、
スクリュー軸に噛合する噛合部と、被案内部材に、案内方向に弾性的に接する接触部とを有する案内部材、および
案内部材の接触部を被案内部材に向けて付勢する付勢部材を備えたことを特徴とする。
【００１０】
従来、スクリュー軸と噛合部とを噛み合わせて被案内部材を移動させる駆動装置では、被案内部材が噛合部に直接固定されていたり、被案内部材と噛合部とが剛体（例えば、金属など）で接続されているため、被案内部材に印加された衝撃がそのまま噛合部に伝達されてしまい、歯飛びが生じてしまっていた。
【００１１】
本発明の駆動装置では、被案内部材に接触部が弾性的に接触しており、その接触部を介して被案内部材と噛合部とが接続されている。被案内部材に大きな衝撃が加わると、その衝撃が接触部によって吸収されてから噛合部に伝達されるため、装置の大型化や複雑化を抑えて、歯飛びを防止することができる。
【００１２】
また、上記目的を達成する本発明の光学部材駆動装置は、光学部材を保持する保持部材と、保持部材を所定の案内方向に移動させる案内ユニットとを備えた光学部材駆動装置において、
上記案内ユニットが、
外周に雄ねじが形成されて所定の案内方向に延びた回転自在なスクリュー軸、
スクリュー軸に噛合する噛合部と、上記光学部材に、案内方向に弾性的に接する接触部とを有する案内部材、および
案内部材の接触部を光学部材に向けて付勢する付勢部材を備えたことを特徴とする。
【００１３】
本発明の光学部材駆動装置によると、落下などの衝撃によって光学部材の位置がずれてしまう不具合を回避することができ、光学部材を駆動する処理の信頼性を向上させることができる。
【００１４】
また、上記目的を達成する本発明の撮影装置は、撮影光学系を備え、撮影光学系を通過してきた被写体光を捉えて画像データを生成する撮影装置において、
上記撮影光学系が、
光軸方向に駆動される光学部材と、
光学部材を保持する保持部材と、
保持部材を光軸方向に駆動させることにより光学部材を光軸方向に案内する案内ユニットとを備え、
上記案内ユニットが、
外周に雄ねじが形成されて所定の案内方向に延びた回転自在なスクリュー軸、
スクリュー軸に噛合する噛合部と、上記光学部材に、案内方向に弾性的に接する接触部とを有する案内部材、および
案内部材の接触部を光学部材に向けて付勢する付勢部材を備えたことを特徴とする。
【００１５】
本発明の撮影装置によると、衝撃等が加わることによって光学部材が移動してしまう不具合が軽減されているため、撮影装置を落としてしまった場合でも、光学部材の位置を再調整する復旧動作が不要となり、シャッタチャンスを逃さずに、すぐに撮影を再開することができる。
【発明の効果】
【００１６】
本発明によれば、装置の大型化や複雑化を抑え、スクリュー軸と噛み合う噛合部の歯飛びを回避することができる駆動装置、光学部材駆動装置、および撮影装置を提供することができる。
【発明を実施するための最良の形態】
【００１７】
以下、図面を参照して本発明の実施の形態を説明する。
【００１８】
図１は、本発明の一実施形態が適用された携帯電話機の外観斜視図である。
【００１９】
図１に示す携帯電話機１００には、主に、外部装置との間で音声や電子メールなどを送受信するデータ通信機能と、被写体を撮影する撮影機能とが搭載されている。
【００２０】
図１（Ａ）に示すように、携帯電話機１００の前面には、メニュー画面や、撮影画像などが表示される液晶パネル１０１、内部にスピーカ（図２参照）が配備され、スピーカから発せられる音声を放つための送話口１０２、基地局を介して音声や電子メールなどのデータを送受信するための第１アンテナ１０３ａ、各種機能の選択や、撮影を行う際のシャッタボタンとして使用される選択ボタン１０４、電話番号を入力するためのプッシュボタン１０５、内部にマイクロフォン（図２参照）が配備され、声をマイクロフォンに伝えるための受話口１０６、ユーザが入力した電話番号などを確定する確定ボタン１０７、電源ボタン１０８、および基地局を介さずに、近距離用の無線通信によって画像やアドレス情報などを送受信するための第２アンテナ１０９ａが備えられている。
【００２１】
また、図１（Ｂ）に示すように、携帯電話機１００の背面には、被写体光を結像する撮影レンズ１００ａが埋め込まれている。
【００２２】
携帯電話機１００を使って音声や電子メールなどを送信する際には、ユーザがプッシュボタン１０５を使って電話番号や電子メールアドレス等を入力し、確定ボタン１０７を押下すると、無線通信によってデータが指定された通信相手先に向けて発信される。携帯電話機１００から発信されたデータは、一旦、基地局で受信され、基地局から電話回線、ＬＡＮ回線、および別の基地局などを介して通信相手先に伝えられる。逆に、通信相手先から送信されてきたデータは、基地局で受信されて無線のデータに変換された後、携帯電話機１００に伝えられる。
【００２３】
また、携帯電話機１００を使って被写体を撮影する際には、ユーザが、図１（Ｂ）の撮影レンズ１００ａを被写体に向けて選択ボタン１０４を押すと、携帯電話機１００に内蔵されたシャッタが切られて、撮影が行われる。
【００２４】
続いて、携帯電話機１００の内部構造について説明する。
【００２５】
図２は、携帯電話機１００の内部ブロック図である。
【００２６】
携帯電話機１００の内部には、撮影レンズ１００ａ、アイリス１１１、ＣＣＤ１１２、Ａ／Ｄ（Ａｎａｌｏｇ／Ｄｅｇｉｔａｌ）変換部１１３、マイクロフォン１２１、スピーカ１２２、インタフェース部１２０、第１送受信部１０３、入力コントローラ１３０、画像信号処理部１４０、ビデオエンコーダ１５０、画像表示装置１６０、第２送受信部１０９、メモリ１７０、ＣＰＵ１８０、メディアコントローラ１９０、各種スイッチ１８１が具備されており、さらに、記録メディア１９１が接続されている。
【００２７】
各種スイッチ１８１には、図１に示す選択ボタン１０４やプッシュボタン１０５などが含まれる。これら各種スイッチ１８１が押下されると、そのスイッチが入ったことがＣＰＵ１８０に伝えられる。
【００２８】
ＣＰＵ１８０は、図２に示す携帯電話機１００の各種要素に処理の指示を伝えて、各種要素を制御する。例えば、撮影を行う撮影モードが設定された状態で図１の選択ボタン１０４が押下されると、ＣＰＵ１８０から図２に示す各種要素に指示が与えられ、撮影が開始される。
【００２９】
まずは、携帯電話機１００に搭載された撮影機能について説明する。
【００３０】
本来、被写体を撮影する撮影装置には複数のレンズが配備され、それら複数のレンズのうち少なくとも１つのレンズがピント調節に大きく関与するが、この図２では、それら複数のレンズを撮影レンズ１００ａ、複数のレンズのうちピント調節に関与するレンズをフォーカスレンズ１１０として模式的に示している。フォーカスレンズ１１０は、レンズ保持枠に保持されており、レンズ駆動ユニット２００によって光軸に沿う方向に移動される。撮影レンズ１００ａは、本発明にいう撮影光学系の一例にあたり、フォーカスレンズ１１０は、本発明にいう光学部材の一例に相当する。レンズ駆動ユニット２００については、後で詳しく説明する。
【００３１】
撮影レンズ１００ａを通過してきた被写体光は、アイリス１１１によって光量が調整された後、ＣＣＤ１１２上に結像され、ＣＣＤ１１２において、被写体像を表わす画像信号が生成される。生成された画像信号は、Ａ／Ｄ変換部１１３において粗く読み出され、アナログ信号がデジタル信号に変換されて、低解像度なスルー画像データが生成される。ここで、ＣＣＤ１１２には、ＣＰＵ１８０からタイミング信号が供給されており、このタイミング信号に同期して、所定の間隔ごとに、画像信号が生成される。生成されたスルー画像データは、入力コントローラ１３０を介して画像信号処理部１４０に送られる。
【００３２】
画像信号処理部１４０では、スルー画像データにＲＧＢレベルの調節、ガンマ調整等といった画像処理が施される。画像処理後のスルー画像データは、ビデオエンコーダ１５０に送られ、さらに、画像表示装置１６０に伝えられて、液晶パネル１０１上に、スルー画像データが表わすスルー画像が表示される。ここで、ＣＣＤ１１２では、所定のタイミング毎に被写体光が読み取られて画像信号が生成されているため、この液晶パネル１０１には、撮影レンズ１００ａが向けられた方向のスルー画像が常に表示され続ける。
【００３３】
また、Ａ／Ｄ変換部１１３で生成されたスルー画像データは、ＣＰＵ１８０にも供給される。ＣＰＵ１８０は、スルー画像データに基づいて、フォーカスレンズ１１０が光軸に沿って移動されている間にＣＣＤ１１２で繰り返し得られた画像信号が表わす被写体像のコントラストと、被写体の輝度を検出する。さらに、ＣＰＵ１８０は、フォーカスレンズ１１０に取り付けられたレンズ駆動ユニット２００を制御することにより、フォーカスレンズ１１０をコントラストのピークが得られるレンズ位置に移動させるとともに（ＡＦ処理）、検出した輝度に応じてアイリス１１１の絞り値を調整する（ＡＥ処理）。
【００３４】
ここで、液晶パネル１０１に表示されたスルー画像を確認しながら、撮影者が図１に示す選択ボタン１０４を押下すると、選択ボタン１０４が押されたことがＣＰＵ１８０に伝えられ、ＣＣＤ１１２で生成された画像信号がＡ／Ｄ変換部１１３において細かく読み出されて、高解像度な撮影画像データが生成される。生成された撮影画像データは、入力コントローラ１３０を介して画像信号処理部１４０に送られ、ＲＧＢレベルの調節、およびガンマ調整といった画像処理が施された後、圧縮されてメモリ１７０に送られる。
【００３５】
メモリ１７０には、この携帯電話機１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された撮影画像データが記憶されるＶＲＡＭが含まれている。ＶＲＡＭは、複数領域に分割されており、撮影画像データが複数領域に順番に記憶され、記憶された撮影画像データはビデオエンコーダ１５０やメディアコントローラ１９０に順次に読み出される。
【００３６】
ビデオエンコーダ１５０は、ＣＰＵ１８０からの指示に従って、メモリ１７０から圧縮後の撮影画像データを取得し、圧縮後の撮影画像データを、液晶パネル１０１で表示できるデータ形式に変換する。変換後の撮影画像データは画像表示装置１３０に送られ、画像表示装置１３０によって、撮影画像データが表す撮影画像が液晶パネル１０１に表示される。また、ユーザによって撮影画像データの保存が指示された場合には、メディアコントローラ１９０は、メモリ１７０に記憶された圧縮後の撮影画像データを記録メディア１９１へ記録し、ユーザによって撮影画像データの表示が指示された場合には、メディアコントローラ１９０は、記録メディア１９１に記録された圧縮後の撮影画像データを読み出して、ビデオエンコーダ１５０に伝える。
【００３７】
続いて、携帯電話機１００に搭載されたデータ通信機能について説明する。
【００３８】
図１に示すプッシュボタン１０５を使って電話番号が入力され、確定ボタン１０７が押下されると、電話番号が設定されて相手装置との通信が開始される。このとき、携帯電話機１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して基地局に伝わり、基地局で、指定された電話番号が割り当てられた相手装置との接続が確立される。
【００３９】
相手装置との接続が確立すると、ユーザが携帯電話機１００に向けて発した声がマイクロフォン１２１で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、スピーカ１２２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００４０】
また、この携帯電話機１００には、基地局を介して他の携帯電話機などといった相手装置と通信するための通信インタフェース（第１送受信部１０３、第１アンテナ１０３ａ）とは別に、基地局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして赤外線通信が適用されており、他の携帯電話機などから直接送信されてきた赤外線が第２アンテナ１０９ａで受信されると、その受信された赤外線に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００４１】
この第２アンテナ１０９ａで画像を表わす赤外線が受信されると、第２送受信部１０９では赤外線に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア１９１に記録される。
【００４２】
携帯電話機１００は、基本的には以上のように構成されている。
【００４３】
以下では、本発明の駆動装置および光学部材駆動装置それぞれの一実施形態であり、フォーカスレンズ１１０を光軸方向に移動させるレンズ駆動ユニット２００について説明する。
【００４４】
図３は、図２に示すレンズ駆動ユニット２００の概略構成図である。
【００４５】
レンズ駆動ユニット２００には、スクリュー軸２２０を回転させるモータ２１０と、外周に雄ねじ２２０ａが形成されたスクリュー軸２２０と、図２に示すフォーカスレンズ１１０を保持するレンズ保持枠２４０と、レンズ保持枠２４０を支持するとともに、スクリュー軸２２０と噛み合うキャリア２５０と、レンズ保持枠２４０の移動を光軸方向に導くガイド軸２３１，２３２，２３３と、キャリア２５０をレンズ保持枠２４０に向けて付勢するバネ２６０が備えられている。レンズ保持枠２４０は、本発明にいう被案内部材および保持部材それぞれの一例に相当し、モータ２１０、スクリュー軸２２０、ガイド軸２３１，２３２，２３３、キャリア２５０、およびバネ２６０を合わせたものは、本発明にいう案内ユニットの一例に相当する。また、スクリュー軸２２０は、本発明にいうスクリュー軸の一例にあたり、キャリア２５０は、本発明にいう案内部材の一例にあたり、バネ２６０は、本発明にいう付勢部材の一例に相当する。
【００４６】
続いて、キャリア２５０およびレンズ保持枠２４０それぞれの構成について説明する。
【００４７】
図４は、キャリア２５０の斜視図である。
【００４８】
キャリア２５０は、スクリュー軸２２０の雄ねじ２２０ａと噛み合うねじ山２５１ａが設けられた噛合部２５１と、ガイド軸２３３が貫通するガイド軸貫通部２５４と、ガイド軸貫通部２５４から延びて噛合部２５１との間でスクリュー軸２２０を挟み、スクリュー軸２２０を噛合部２５１に向けて付勢する上腕部２５２および下腕部２５３とで構成されている。上腕部２５２は、先端２５２ａがレンズ保持枠２４０と接触し、下腕部２５３は、先端２５２ａにバネ２６０の一端が取り付けられる。上腕部２５２および下腕部２５３は、細長く延びることによって弾性を有しており、力が印加されると変形し、その後、元の形状に戻る。噛合部２５１は、本発明にいう噛合部の一例にあたり、上腕部２５２は、本発明にいう接触部の一例に相当する。
【００４９】
図５は、図３に示すレンズ駆動ユニット２００を、バネ２６０が取り付けられた側から見たときの斜視図であり、図６は、レンズ駆動ユニット２００を、バネ２６０が取り付けられた側から見たときの正面図である。
【００５０】
レンズ保持枠２４０は、フォーカスレンズ１１０を保持する保持部２４２と、ガイド軸２３１が貫通するとともに、キャリア２５０に支持される支持部２４１とで構成されている。また、支持部２４１には、バネ２６０が連結される突起２４０ａが設けられている。
【００５１】
図５に示すように、キャリア２５０は、噛合部２５１のねじ山２５１ａがスクリュー軸２２０の雄ねじ２２０ａと噛み合っており、モータ２１０によってスクリュー軸２２０が回転されると、ガイド軸２３３に沿って移動される。
【００５２】
また、図６に示すように、バネ２６０の一端がキャリア２５０の下腕部２５３に取り付けられ、他端がレンズ保持枠２４０の突起２４０ａに取り付けられることによって、キャリア２５０とレンズ保持枠２４０とが連結されており、キャリア２５０は、バネ２６０によって、レンズ保持枠２４０に向けて付勢されている。
【００５３】
図７は、キャリア２５０およびレンズ保持枠２４０付近の概略的な拡大図である。
【００５４】
尚、図７では、説明の都合上、不要な要素については図示を省き、各要素の配置や構成の特徴を実際よりもかなり強調して示している。
【００５５】
図７（Ａ）に示すように、キャリア２５０は、噛合部２５１がスクリュー軸２２０と噛み合っており、バネ２６０によって、上腕部２５２の先端２５２ａがレンズ保持枠２４０の支持部２４１に押し付けられている。例えば、スクリュー軸２２０が回転し、キャリア２５０がガイド軸２３３に沿って図の上方に移動すると、上腕部２５２の先端２５２ａが支持部２４１を押し上げて、レンズ保持枠２４０がガイド軸２３１に沿って上方に移動される。
【００５６】
ここで、レンズ駆動ユニット２００が搭載された携帯電話機１００は、小型なためにグリップ性が劣り、落としてしまいやすい。携帯電話機１００が落下すると、レンズ保持枠２４０に大きな衝撃が加わり、レンズ保持枠２４０の荷重がキャリア２５０にかかってしまう。
【００５７】
本実施形態では、例えば、レンズ保持枠２４０に図の下方向に大きな衝撃力が加わると、図７（Ｂ）に示すように、レンズ保持枠２４０からキャリア２５０の上腕部２５２に荷重が伝達される。上腕部２５２は、弾性を有しているため、レンズ保持枠２４０から衝撃力を受けると変形し、その衝撃力が緩和されてから噛合部２５１に伝達される。このため、噛合部２５１に大きな力が加わって、歯飛びが生じてしまう不具合を回避することができる。
【００５８】
図７（Ｂ）に示す状態から、スクリュー軸２２０が回転されてキャリア２５０が上方向に移動されると、変形していた上腕部２５２がレンズ保持枠２４０を押し上げて元の形状に戻り、通常のレンズ駆動が行われる。
【００５９】
このように、本実施形態のレンズ駆動ユニット２００によると、落下の衝撃などによるキャリア２５０の歯飛びを防止することができ、レンズ駆動における信頼性を向上させることができる。
【００６０】
ここで、上記では、スクリュー軸の雄ねじと噛み合う噛合部として、スクリュー軸に沿って光軸方向に移動するキャリアを適用する例について説明したが、本発明にいう噛合部は、ナットなどであってもよい。
【００６１】
また、上記では、レンズを光軸方向に移動させる駆動装置について説明したが、本発明の駆動装置は、レンズ以外の対象物を移動させるものであってもよい。
【００６２】
また、上記では、本発明の撮影装置を携帯電話機に適用する例について説明したが、本発明の撮影装置は、例えば、デジタルカメラや銀塩カメラなどに適用してもよい。
【００６３】
また、上記では、撮像素子の一例としてＣＣＤが示されているが、本発明の撮影装置で利用される撮像素子はＣＭＯＳセンサなどであってもよい。
【図面の簡単な説明】
【００６４】
【図１】本発明の一実施形態が適用された携帯電話機の外観斜視図である。
【図２】携帯電話機の内部ブロック図である。
【図３】図２に示すレンズ駆動ユニットの概略構成図である。
【図４】キャリアの斜視図である。
【図５】図３に示すレンズ駆動ユニットを、バネが取り付けられた側から見たときの斜視図である。
【図６】レンズ駆動ユニットを、バネが取り付けられた側から見たときの正面図である。
【図７】キャリアおよびレンズ保持枠付近の概略的な拡大図である。
【符号の説明】
【００６５】
１００    携帯電話機
１００ａ    撮影レンズ
１０１    液晶パネル
１０２    送話口
１０３    第１送受信部
１０３ａ    第１アンテナ
１０４    選択ボタン
１０５    プッシュボタン
１０６    受話口
１０７    確定ボタン
１０８    電源ボタン
１０９    第２送受信部
１０９ａ    第２アンテナ
１１０    フォーカスレンズ
１１１    アイリス
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    各種スイッチ
１９０    メディアコントローラ
１９０ａ    記録メディア
２００    レンズ駆動ユニット
２１０    モータ
２２０    スクリュー軸
２２０ａ    雄ねじ
２３１，２３２，２３３    ガイド軸
２４０    レンズ保持枠
２５０    キャリア
２５１    噛合部
２５２    上腕部
２５３    下腕部
２５４    ガイド軸貫通部
２５１ａ    ねじ山
２６０    バネ
【図１】
2008026633.tif 000003
【図２】
2008026633.tif 000004
【図３】
2008026633.tif 000005
【図４】
2008026633.tif 000006
【図５】
2008026633.tif 000007
【図６】
2008026633.tif 000008
【図７】
2008026633.tif 000009